(57)【要約】【課題】履口部が柔らかくてはき易く、長時間の履用にもずり落ちの発生がない靴下を提供する。【解決手段】靴下本体１のレッグ部４に連ねて設けた履口部５がゴム編みによって編成され、この履口部５が、レッグ部４側から順に、山と谷が１対１のメッシュゴム編み部５ａと、山と谷が１対１のゴム編み部５ｂと、山と谷が２対２のメッシュゴム編み部５ｃの三種類の組み合わせによって形成されていることにより、履口部５に柔らかくて履き易く長時間の履用にもずり落ちの発生がないという機能が得られる。【選択図】図２
0003118030.tif 000002
【実用新案登録請求の範囲】
【請求項１】
靴下本体のレッグ部に連ねて設けた履口部がゴム編みによって編成されている靴下において、前記履口部が、山と谷が２対２のメッシュゴム編み部によって形成されていることを特徴とする靴下。
【請求項２】
靴下本体のレッグ部に連ねて設けた履口部がゴム編みによって編成されている靴下において、前記履口部が、レッグ部側から順に、山と谷が１対１のメッシュゴム編み部と、山と谷が１対１のゴム編み部と、山と谷が２対２のメッシュゴム編み部によって形成されていることを特徴とする靴下。
【請求項３】
上記靴下本体が、メリヤス編みにゴム編み組み合わせて編成されていることを特徴とする請求項１又は２に記載の靴下。
【請求項４】
上記靴下本体が、メリヤス編みにパイル編み組み合わせて編成されていることを特徴とする請求項１又は２に記載の靴下。
【考案の詳細な説明】
【技術分野】
【０００１】
この考案は、履口部が柔らかく履き易いだけでなく、ずり落ちの発生がない靴下に関する。
【背景技術】
【０００２】
一般的に、従来の靴下の履口部は、ゴム糸を編みこんだゴム編みによって編成されており、靴下の履用時に履口部がその伸縮弾性によって靴下がずり落ちるのを防止するようになっている（特許文献１参照）。
【特許文献１】特開２００４−１９０１４５号公報
【考案の開示】
【考案が解決しようとする課題】
【０００３】
ところで、上記のような従来の靴下は、履口部の全長が均一なゴム編みになっているので、ずり落ちるのを防止するために大きな伸縮弾性のゴム糸を用いて履口部を編成すると、長時間にわたって靴下を履くと、履口部によって足が締め付けられ、足の血行が阻害されることになると共に、履口部の弾性が強いと開くのに抵抗があり、どうしても靴下が履きにくくなる。
【０００４】
また、これを防止するためには、履口部のゴム糸の伸縮弾性を小さくする必要があるが、この場合には、靴下のずり落ちを防止することができないことになる。
【０００５】
そこで、この考案の課題は、履口部が柔らかくてはき易く、長時間の履用にもずり落ちの発生がない靴下を提供することにある。
【課題を解決するための手段】
【０００６】
上記のような課題を解決するため、請求項１の考案は、靴下本体のレッグ部に連ねて設けた履口部がゴム編みによって編成されている靴下において、前記履口部が、山と谷が２対２のメッシュゴム編み部によって形成されている構成を採用したものである。
【０００７】
また、請求項２の考案は、靴下本体のレッグ部に連ねて設けた履口部がゴム編みによって編成されている靴下において、前記履口部が、レッグ部側から順に、山と谷が１対１のメッシュゴム編み部と、山と谷が１対１のゴム編み部と、山と谷が２対２のメッシュゴム編み部によって形成されている構成を採用したものである。
【０００８】
上記靴下本体が、メリヤス編みにゴム編み組み合わせて編成されているか、メリヤス編みにパイル編み組み合わせて編成されている構造とすることができる。
【０００９】
ここで、靴下本体は筒編み機を用いてメリヤス編みに編み上げるとき、ゴム編み又はパイル編みを組み合わせ、レッグ部の後端はゴム編みにして履口部に形成し、編み上がった靴下本体は先端を爪先に縫合する。
【００１０】
上記、請求項１に係る靴下の履口部は、山と谷が２対２のメッシュゴム編み部によって形成されているので、履口部は柔らかくて履きやすいと共にずり落ちしにくくなる。
【００１１】
また、請求項２に係る靴下の履口部は、レッグ部側から順に、山と谷が１対１のメッシュゴム編み部と、山と谷が１対１のゴム編み部と、山と谷が２対２のメッシュゴム編み部の三種類を連続して筒状に編成することにより形成され、このような三種類のゴム編みの組み合わせによって、履口部は２対２のメッシュにより柔らかくて履き易いと共にずれ落ちしにくくなり、更に、その下側（レッグ部側の）山と谷が１対１のメッシュゴム編み部と、山と谷が１対１のゴム編み部により脚を包み込んで長時間の履用にもずり落ちの発生がない。
【００１２】
また、靴下本体のメリヤス編みにゴム編み又はパイル編みを組み合わせると、靴下本体の伸縮性が向上し、履用時に足を締め付けることによって疲れを取ることができる。
【考案の効果】
【００１３】
請求項１の考案によると、靴下本体の靴下本体の履口部を山と谷が２対２のメッシュゴム編みにより形成したので、履口部は伸縮弾性に富み、柔らかくて履き易くなり、ずれ落ちもしにくくすることができる。
【００１４】
また、請求項２の考案によると、靴下本体の履口部をレッグ部側から順に、山と谷が１対１のメッシュゴム編み部と、山と谷が１対１のゴム編み部と、山と谷が２対２のメッシュゴム編み部の三種類を連続して筒状に編成することにより形成したので、三種類のゴム編みの組み合わせによって、履口部は伸縮弾性に富み、柔らかくて履き易くなり、しかも、長時間の履用にもずり落ちの発生を防ぐことができる。
【００１５】
また、靴下本体を形成するメリヤス編みにゴム編み又はパイル編みを組み合わせると、靴下本体の伸縮性が向上し、履用時に足の甲部から足底を全体的に締め付けることによって、足の静脈の血流を促進して足の疲れを取ることができる。
【考案を実施するための最良の形態】
【００１６】
以下、この考案の実施の形態を添付図面図１及び図２に基づいて説明する。
【００１７】
図示のように、靴下本体１の甲部２と足底部３からレッグ部４を筒状に編み上げ、レッグ部４の端部にゴム編みの履口部５を設け、靴下本体１の先端を爪先６に縫合すると共に踵部７を処理することによって靴下Ａが完成する。
【００１８】
上記靴下本体１の爪先６からレッグ部４の端部までは、筒編み機を用いてメリヤス編みに編み上げるとき、伸縮性のあるゴム糸を用いてゴム編み又はパイル編みを組み合わせることにより、靴下本体１の全体に伸縮性を持たせるようにする。
【００１９】
図１の例の場合、上記履口部５は、山と谷が２対２のメッシュゴム編み部５ｃにより形成され、この２対２のメッシュゴム編み部５ｃによって、履口部５に柔らかくて履き易く長時間の履用にもずれ落ちの発生がないという機能が得られる。
【００２０】
また、図２の例の場合、上記履口部５は、レッグ部４側から順に、山と谷が１対１のメッシュゴム編み部５ａと、山と谷が１対１のゴム編み部５ｂと、山と谷が２対２のメッシュのゴム編み部５ｃの三種類を順番に連続して筒状に編成することにより形成され、このような三種類のゴム編みの組み合わせによって、履口部５に柔らかくて履き易く長時間の履用にもずり落ちの発生がないという機能が得られる。
【００２１】
図２の靴下Ａは、上記のような構成であり、靴下本体の履口部５をレッグ部４側から順に、山と谷が１対１のメッシュゴム編み部５ａと、山と谷が１対１のゴム編み部５ｂと、山と谷が２対２のメッシュゴム編み部５ｃの三種類によって形成したので、三種類のゴム編みの組み合わせによって、履口部５は伸縮弾性に富み、柔らかくて履き易くなる。
【００２２】
しかも、長時間の履用にもずり落ちの発生を防ぐことができ、また、靴下本体１を形成するメリヤス編みにゴム編み又はパイル編みを組み合わせることにより、靴下本体１の伸縮性が向上し、履用時に足の甲部から足底を全体的に締め付けることによって、足の静脈の血流を促進して足の疲れを取ることができ、このような靴下Ａは、紳士用の靴下やゴルフ等のスポーツ用靴下として有用である。
【図面の簡単な説明】
【００２３】
【図１】この考案に係る靴下の正面図
【図２】この考案に係る靴下の他の例の正面図
【符号の説明】
【００２４】
１        靴下本体
２        甲部
３        足底部
４        レッグ部
５        履口部
５ａ      メッシュゴム編み部
５ｂ      ゴム編み部
５ｃ      メッシュゴム編み部
６        爪先
７        踵部
Ａ        靴下
【図１】
0003118030.tif 000003
【図２】
0003118030.tif 000004